(57)【要約】  消費財（１８）の容器は、ボックス（１２）と、ボックスを閉じるリッド（１４）とを備えるハウジング（１０）を備える。消費財は、ラッパー（２０）に包まれ、ハウジング（１０）内に含まれ、ラッパー（２０）は、リッド（１４）が開いている時に部分的に露出され、またリッド（１４）が開いて消費財（１８）が露出された時に取り外すことができる取り外し可能部分（２２）を持つ。ラッパー（２０）の取り外し可能部分（２２）は、リッド（１４）が開いている時に見える第一の部分と、ボックス（１２）の１つ以上の壁の下にあり、リッド（１４）が開いている時には見えない第二の部分とを持ち、またラッパー（２０）の取り外し可能部分（２２）の第二の部分には、リッド（１４）が開いた時に露出されるラッパー（２０）の部分とは視覚的に区別される１つ以上のしるしが記載される。【選択図】図１ｂ
2017529288.tif 000002
【特許請求の範囲】
【請求項１】
消費財の容器であって、
ボックスおよび前記ボックスを閉じるリッドを備えるハウジングと、
ラッパーに包まれかつ前記ハウジング内に含まれる１つ以上の消費財であって、前記ラッパーが、前記リッドが開いている時に部分的に露出し、また前記リッドが開いて前記消費財が露出された時に取り外すことができる取り外し可能部分を持つものとを備え、
前記ラッパーの前記取り外し可能部分が、前記リッドが開いている時に見える第一の部分、および前記ボックスの１つ以上の壁の下にあり前記リッドが開いている時には見えない第二の部分を持ち、
前記ラッパーの前記取り外し可能部分の前記第二の部分には、前記リッドが開いている時に露出される前記ラッパーの前記部分とは視覚的に区別される１つ以上のしるしが記載される、容器。
【請求項２】
前記ラッパーの前記第一の部分に１つ以上のしるしが記載され、また前記ラッパーの前記第二の部分にある前記１つ以上のしるしが、前記ラッパーの前記第一の部分にある前記１つ以上のしるしとは視覚的に区別される、請求項１に記載の容器。
【請求項３】
前記ハウジングのリッドが開かれると見える前記ラッパーの１つ以上の部分にしるし全体のうち一部分が記載され、またしるし全体の別の部分は、前記ラッパーの前記取り外し可能部分の前記第二の部分に記載される、請求項１または２に記載の容器。
【請求項４】
前記リッドが、前記ボックスからヒンジ線に沿って前記ハウジングの後部壁を横切って延び、また前記リッドが、開位置と閉位置の間で移動可能であり、また前記リッドの前部壁および前記ボックスの前部壁がともに前記ハウジングの前記後部壁と反対側にある前記ハウジングの前部壁を画定する、請求項１〜３のいずれか１項に記載の容器。
【請求項５】
前記ラッパーの前記取り外し可能部分の前記第二の部分が前記ボックスの前部壁の下にある、請求項１〜４のいずれか１項に記載の容器。
【請求項６】
前記ラッパーの前記取り外し可能部分の前記第二の部分の前記面積が、前記ラッパーの前記取り外し可能部分の前記面積の少なくとも１０パーセントである、請求項１〜５のいずれか１項に記載の容器。
【請求項７】
前記ラッパーの前記取り外し可能部分が前方パネルを含み、かつ前記ラッパーの前記取り外し可能部分の前記前方パネルの面積の少なくとも２０パーセントが前記ボックスの前部壁の下にある、請求項１〜６のいずれか１項に記載の容器。
【請求項８】
前記ラッパーの前記取り外し可能部分が前方パネルを備え、前記取り外し可能なタブ部分の前記前方パネルの高さが前記ハウジングの高さの少なくとも３０パーセントに相当する、請求項１〜７のいずれか１項に記載の容器。
【請求項９】
前記１つ以上の消費財が複数の喫煙物品である、請求項１〜８のいずれか１項に記載の容器。
【請求項１０】
前記ラッパーの前記取り外し可能部分の前記第二の部分が、少なくとも８００平方ミリメートルの表面積を持つ、請求項１〜９のいずれか１項に記載の容器。
【請求項１１】
前記ラッパーの前記取り外し可能部分の前記第二の部分の長さが前記ハウジングの長さの少なくとも１５パーセントである、請求項１〜１０のいずれか１項に記載の容器。
【請求項１２】
前記ラッパーが虚弱線を含み、それに沿って前記ラッパーの前記取り外し可能部分を前記ラッパーの残りの部分から分離することのできる、請求項１〜１１のいずれか１項に記載の容器。
【請求項１３】
前記ボックス部分が、開口部の端を画定する上端を持つボックス前部壁を含み、消費財は前記リッドが前記開位置にある時に、その開口部を通して前記容器から取り外すことができ、また前記ボックス前部壁の前記上端と前記ラッパーの前記取り外し可能部分を画定する前記虚弱線との間の距離が少なくとも１０ミリメートルである、請求項１〜１２のいずれか１項に記載の容器。
【請求項１４】
前記虚弱線が穿孔線を含む、請求項１２または１３に記載の容器。
【請求項１５】
前記１つ以上の消費財が複数の喫煙物品である、請求項１〜１４のいずれか１項に記載の容器。
【発明の詳細な説明】
【技術分野】
【０００１】
本発明は、ラッパーに包まれた１つ以上の消費財を含む消費財の容器に関連する。本発明は、紙巻たばこなどのパック式喫煙物品としての特定の用途がある。
【背景技術】
【０００２】
紙巻たばこや葉巻たばこなどの喫煙物品は一般に、ボックスと、容器の後部壁を横切って延びるヒンジ線の周りにボックスに結合されたリッドとを持つヒンジ・リッド型容器などの剛直な箱型容器内にパッケージされる。こうしたヒンジ・リッド型容器は通常、一枚の層状の厚紙ブランクから構成される。使用時、リッドはヒンジ線を中心に回転して容器を開き、ボックス内に収容されている喫煙物品の束へのアクセスが得られる。
【０００３】
ボックス内に収容されている喫煙物品の束は通常、金属化紙、金属箔またはその他の柔軟なシート材料の内側ライナー内に包まれる。内側ライナーは通常、喫煙物品の束の周りで折り畳まれてから、例えば封筒折りを使用して上部端および底部端で折り畳んで閉じられる長方形の材料シートである。喫煙物品およびその他の消費財の公知である容器の内側ライナーの一部は、消費者への情報を記載するために使用されうる。例えば、一部の内側ライナーはブランド情報がエンボス加工または印刷されることが周知である。
【０００４】
内側ライナー内にある喫煙物品の束にアクセスするには、まずヒンジ・リッド容器が開かれることで、消費者は内側ライナーの上部を展開して、喫煙物品を露出させることができる。別の方法として、一部の内側ライナーには、消費者が取り外して捨てることで喫煙物品にアクセスできる、分離可能な上部が提供されている。ところが、こうした内側ライナーの分離可能な部分は通常、比較的サイズが小さく、比較的質素な形状および外観を有する。従って、これらの分離可能なタブ部分は、現時点では、消費者に容器の内容物へのアクセスを許容する機能を超えた有用性はほとんどない。
【０００５】
消費者とのコミュニケーションをとるための手段を改善するようにラッパーが適合されている、喫煙物品などの包装された消費財の束のための新しいラッパー配置を提供することが望ましい。
【発明の概要】
【０００６】
本発明の一態様によれば、ボックス、およびボックスを閉じるリッド、およびラッパーに包まれかつハウジング内に含まれる１つ以上の消費財を含むハウジングを備える消費財の容器が提供されており、ラッパーは、リッドが開かれた時に部分的に露出され、かつリッドが開かれて消費財が露出した時に取り外すことができる取り外し可能部分を持ち、ラッパーの取り外し可能部分は、リッドが開いている時に見える第一の部分、およびボックスの１つ以上の壁の下にありリッドが開いている時には見えない第二の部分を持ち、ここでラッパーの取り外し可能部分の第二の部分には、リッドが開いている時に露出されるラッパーの部分とは視覚的に区別される１つ以上のしるしが記載される。
【０００７】
ラッパーの第二の部分にある１つ以上のしるしは、１つ以上の抽象的または比喩的な絵、色付きパターン、活字体、文字、ロゴ、これらの組み合わせまたはその他の任意のしるしでもよい。
【０００８】
ラッパーの第二の部分にある１つ以上のしるしは、リッドが開いている時に露出されるラッパーの部分とは視覚的に区別される。すなわち、ラッパーの第一の部分に１つ以上のしるしが記載される場合には、ラッパーの第二の部分にある１つ以上のしるしはそれらとは視覚的に区別されるもの、すなわち異なるものである。別の方法として、ラッパーの第一の部分にはしるしが記載されなくてもよく、この場合、ラッパーの第二の部分にある１つ以上のしるしは、リッドが開いている時に露出されるラッパーの部分とは視覚的に異なるものとなる。このようにして、消費者が最初にラッパーの取り外し可能部分を取り外した時に、ラッパーの第二の部分に記載されている１つ以上のしるしがまず露出されて消費者に見えるようになるのみである。
【０００９】
ラッパーの取り外し可能部分の第一の部分（ハウジングリッドをまず開けると見える部分）の一部もしくはすべて、またはハウジングのリッドを開くと見えるラッパーのその他の部分の一部もしくはすべてにはしるしが記載されてもされなくてもよく、記載される場合、それらのしるしはラッパーの取り外し可能部分の第二の部分にある１つ以上のしるしとは視覚的に区別される。例えば、容器を開けると見えるラッパーの部分には、ブランド情報の繰り返しパターン（ロゴの繰り返しなど）が記載され、一方でラッパーの取り外し可能部分の第二の部分には、例えば風景または動物の絵が記載されてもよく、あるいは第一の部分には絵が記載され、第二の部分には商標素材または異なる絵が記載されてもよい。ラッパーの取り外し可能部分がハウジングから取り外されるまで、絵は見えない。別の例として、ハウジングのリッドを開けると見えるラッパーの１つ以上の部分にしるし全体のうち一部分が記載され、しるし全体のうちの別の部分はラッパーの取り外し可能部分の第二の部分に記載されてもよい。これは、ラッパーの取り外し可能部分がハウジングから取り外された時に、しるし全体が消費者に見えるようになることを意味する。
【００１０】
本発明の一部の実施形態では、リッドはボックスからヒンジ線に沿ってハウジングの後部壁を横切って延び、ここでリッドは開位置と閉位置の間で移動可能であり、ここでリッドの前部壁およびボックスの前部壁はともにハウジングの後部壁の反対にあるハウジングの前部壁を画定する。
【００１１】
一部の実施形態では、ラッパーの取り外し可能部分の第二の部分の面積は、ラッパーの取り外し可能部分の面積の少なくとも１０パーセントが好ましく、ラッパーの取り外し可能部分の面積の少なくとも２０パーセントがより好ましく、ラッパーの取り外し可能部分の面積の少なくとも３０パーセントがさらに好ましい。このように、リッドが標準的な製造機械類で予想される許容範囲内の開位置内にある時に、ラッパーの第二の部分が確実に容器の見えない部分に位置できる。
【００１２】
一部の実施形態では、ラッパーの取り外し可能部分はラッパーの残りの部分と一体であり、取り外しのためにそこから分離される。例えば、ラッパーの取り外し可能部分は、ラッパーにある穿孔線などの虚弱線により画定されてもよい。その他の実施形態で、ラッパーの取り外し可能部分は、ラッパーの残りの部分とは別個のシートである。
【００１３】
一部の実施形態では、ラッパーの取り外し可能部分は、前方パネルを含み、ラッパーの取り外し可能部分の前方パネルの面積の少なくとも２０パーセントがボックスの前部壁の下にあることが好ましく、ラッパーの取り外し可能部分の前方パネルの面積の少なくとも４０パーセントがボックスの前部壁の下にあることがより好ましく、ラッパーの取り外し可能部分の前方パネルの面積の少なくとも６０パーセントがボックスの前部壁の下にあることがさらに好ましい。
【００１４】
一部の実施形態では、ラッパーの取り外し可能部分は、前方パネルを含み、取り外し可能部分の前方パネルの高さは、ハウジングの高さの少なくとも３０パーセントに相当することが好ましく、ハウジングの高さの少なくとも４０パーセントに相当することがより好ましく、ハウジングの高さの少なくとも５０パーセントに相当することがさらに好ましい。
【００１５】
一部の実施形態では、ラッパーの取り外し可能部分は、前方パネルから延びる少なくとも一つの側面パネルを含み、ここで取り外し可能部分のその側面タブパネルまたは各側面タブパネルの少なくとも５０パーセントは、ボックス部分のそれぞれの側壁の下にあり、ラッパーの取り外し可能部分の第一の部分の一部を提供する。別の方法としてまたは追加的に、ラッパーの取り外し可能部分は、前方パネルから延びる上部パネルを含んでもよい。
【００１６】
一部の実施形態では、１つ以上の消費財は複数の喫煙物品である。
【００１７】
使用時、容器のユーザーがリッドを開けてラッパーの取り外し可能部分を取り外すと、容器内の消費財が露出される。ラッパーの取り外し可能部分の第二の部分にある１つ以上のしるし（取り外し可能部分がハウジングから取り外されるまで見えない部分）は、それによって露出され、初めてユーザーに見えるようになる。
【００１８】
ラッパーは、金属箔、金属箔および紙のラミネート、金属化紙、金属化高分子フィルム、高分子フィルムおよび紙を含むがそれに限定されない、適切な任意の柔軟な層状材料としうる。
【００１９】
しるしは、印刷、エンボス加工、押印もしくはその他の方法により、またはその任意の組み合わせにより、ラッパーに適用されうる。ところが、しるしは印刷によってラッパーに適用されることが好ましい。
【００２０】
容器は、カード、厚紙、ボール紙、プラスチック、金属、およびその組み合わせを含むがこれに限定されない、任意の適切な材料から作製しうる。
【００２１】
１つ以上の消費財は複数の紙巻たばこ、または複数のその他の喫煙物品でもよい。
【００２２】
本明細書において、「前部」、「後部」、「側面」、「上部」、「底部」、「上側」、「下側」、「上方」および「後方」という用語は、その従来的な直立位置での容器について言及するものであり、紙巻たばこパックの場合には、パック内の紙巻たばこは通常、この位置で直立している。
【００２３】
容器は、紙巻たばこまたはその他の喫煙物品用のヒンジ・リッドパックとしうる。ヒンジ・リッド紙巻たばこパックは周知である。ヒンジ・リッドパックは、向かい合った側壁によって相互に接続されて、通常は長方形または概ね長方形の断面のパックを形成する、向かい合った前方および後方壁を持つパック本体を備える。同様に向かい合った側壁によって相互に接続された向かい合った前方壁および後方壁を持つリッドは、パック本体の後方壁から延び、それにヒンジで接続され、また内側フレームはパック本体内に配置される。内側フレームはパック本体の前部壁の後方にあり、前部壁の上端の上方に延び、リッドは内側フレームに対して閉じ、リッドの下側前方端がパック本体の上側前方端と接触する。
【００２４】
ヒンジ・リッドパックは通常、金属箔または金属箔および紙のラミネートなどの層状材料のラッパーまたは内側ライナーに包まれた喫煙物品の束の周りで折り畳まれたカードブランクから形成される。ラッパーは、喫煙物品の束の後方、底部および前方の周り、束の側面の周りで折り畳まれ、束の上部で封筒折りによって閉じられる。紙巻たばこの束またはその他の喫煙物品は通常、１０個または２０個の喫煙物品を含む。喫煙物品は、喫煙物品の合計数に応じて、異なる並べ方で配列しうる。例えば、喫煙物品は、５、６、７、８、９または１０個の１列で配列しうる。別の方法として、喫煙物品は２列以上で配置しうる。一つの列の喫煙物品は、隣接する列にある喫煙物品の間に部分的に位置しうる。２列以上の列は、同一の数の喫煙物品を含みうる。例えば、喫煙物品は、５、６、７、８、９もしくは１０個の２列、５もしくは７個の３列、または４、５もしくは６個の４列で並べられてもよい。別の方法として、２列以上の列は、互いに異なる数の喫煙物品を含む少なくとも２列を含みうる。例えば、喫煙物品は、５個の１列および６個の１列（５−６）、６個の１列および７個の１列（６−７）、７個の１列および８個の１列（７−８）、５個の中央の１列および６個の両外側の２列（６−５−６）、５個の中央の１列および７個の両外側の２列（７−５−７）、６個の中央の１列および５個の両外側の２列（５−６−５）、６個の中央の１列および７個の両外側の２列（７−６−７）、７個の中央の１列および６個の両外側の２列（６−７−６）、９個の中央の１列および８個の両外側の２列（８−９−８）、または６個の中央の１列、５個の一方の外側の１列および７個の一方の外側の１列（５−６−７）で配置しうる。通常、束の外側列は、容器のそれぞれ前方壁および後方壁に隣接している。
【００２５】
本発明による喫煙物品の容器は、同一のタイプまたはブランドの、または異なるタイプまたはブランドの喫煙物品を保持しうる。容器内の喫煙物品は、フィルターなし喫煙物品またはフィルターチップ付き喫煙物品、またはその両方としうる。喫煙物品はすべて、同一または異なる長さ（例えば、約４０ｍｍ〜約１８０ｍｍ）および同一または異なる直径（例えば、約４ｍｍ〜約９ｍｍ）としうる。さらに、喫煙物品は、味覚の強度、引き出し抵抗および合計粒子状物質の送達が異なりうる。包まれた束および容器の寸法は、喫煙物品の長さおよび直径、および喫煙物品の並べ方に適応させることが好ましい。容器の外側寸法は通常、容器内に収容されている包まれた喫煙物品の束の寸法よりも約０．５ｍｍ〜約５ｍｍだけ大きい。
【００２６】
本発明による容器の高さは約６０ｍｍ（ミリメートル）〜約１５０ｍｍであることが好ましく、高さが約７０ｍｍ〜約１２５ｍｍであることがより好ましいが、高さは容器の底部壁から上部壁までを測定したものである。一部の実施形態では、本発明による容器の幅は約１２ｍｍ〜約１５０ｍｍであり、幅が約７０ｍｍ〜約１２５ｍｍであることがより好ましいが、ここで幅は、容器の一方の側壁から他方の側壁までを測定したものである。
【００２７】
本発明による容器の奥行きは約６ｍｍ〜約１５０ｍｍであることが好ましく、奥行きが約１２ｍｍ〜約２５ｍｍであることがさらに好ましいが、ここで奥行きは、容器の前部壁から後部壁までを測定したものである（ボックスとリッドの間のヒンジを含む）。
【００２８】
容器の高さ対容器の奥行きの比は、約０．３：１〜約１０：１であることが好ましく、約２：１〜約８：１であることがさらに好ましく、約３：１〜５：１であることが最も好ましい。
【００２９】
容器の幅対容器の奥行きの比は、約０．３：１〜約１０：１であることが好ましく、約２：１〜約８：１であることがさらに好ましく、約２：１〜３：１であることが最も好ましい。
【００３０】
リッド後部壁の高さ対ボックス後部壁の高さの比は、約０（リッドが容器の上端にヒンジで固定）〜約１：１であることが好ましく、約１：５〜約１：１０であることがさらに好ましく、約１：６〜約１：８であることが最も好ましい。
【００３１】
リッド前部壁の高さ対ボックス前部壁の高さの比は、０（リッドが容器の前部壁全体である）〜約１：１０であることが好ましく、約１：１〜約１：５であることがさらに好ましく、約１：２〜約１：３であることが最も好ましい。
【００３２】
包まれた束が喫煙物品を収容する場合、容器は、さらに廃棄物用区画（例えば、灰または吸い残し用）または例えば、マッチ、ライター、消火手段、口臭消臭剤またはエレクトロニクスなど、その他の消費財を備えうる。その他の消費財は、容器の外側に取り付けるか、容器の包装内に喫煙物品に沿って容器の別の区画内に含めるか、またはその組み合わせとしうる。
【００３３】
本発明による容器の外部表面は、製造元またはブランドのロゴ、商標、スローガンおよびその他の消費者情報およびしるしで、印刷、エンボス加工、押印またはその他の方法で装飾しうる。
【００３４】
いったん充填されると、本発明による容器は、例えば、高密度または低密度のポリエチレン、ポリプロピレン、方向性ポリプロピレン、ポリ塩化ビニリデン、セルロースフィルム、または従来的な方法でのその組み合わせの透明高分子フィルムで、収縮包装またはそれ以外の方法でオーバーラップされる。本発明による容器がオーバーラップされる場合、オーバーラップは１つ以上のティアテープを含みうる。さらに、オーバーラップは画像、消費者情報またはその他のデータとともに印刷しうる。
【００３５】
本発明は、以下の図面を参照しながらさらに例証しながら説明する。
【図面の簡単な説明】
【００３６】
【図１】図１ａおよび１ｂは、本発明の第一の態様の第一の実施形態による容器を示す。
【発明を実施するための形態】
【００３７】
図１ａおよび１ｂは、リッド１４が後部壁に沿ってヒンジ付けされたパック本体１２と、パック本体１２の内側に配置された内側フレーム１６とを備えた、ヒンジ・リッド紙巻たばこパック１０の形態の発明の実施形態を示す。内側ライナーまたはラッパー２０に包まれた紙巻たばこの束１８は、パックの内側にある。内側ライナーは、金属箔、または金属箔および紙のラミネートなどの層状材料からできている。ヒンジ・リッドパック１０は、カードブランクから形成されうる。ブランクは、内側ライナー２０に包まれた紙巻たばこの束１８の周りに折り畳まれる。内側ライナーは、通常は１０個または２０個の数での紙巻たばこの束の周りで折り畳まれ、上部（図に示す通り）で封筒折りを用いて閉じられる。内側ライナー２０は束の側面上に部分的に延びる。
【００３８】
内側ライナー２０は、図１ａに示す通り、パックが開いている時に内側ライナーの取り外し可能部分２０が見えるように、パックの前方（図に示す通り）に配置される取り外し可能部分２２を含む。
【００３９】
図１ａは、外側オーバーラップ（図示せず）が取り外された後に初めて開かれた直後のパック１０を示す。内側ライナー２０全体がパック内の所定位置にある。図に示す実施形態では、パックが初めて開かれた時に見える内側ライナーの部分には、しるしは何も記載されていない。その他の実施形態では、内側ライナーのこの部分には商標素材（ロゴを含む）、または純粋に装飾用素材などのしるしが記載されうる。ライナーの取り外し可能部分２２は、内側ライナー２０の残りの部分から、穿孔線またはその他の虚弱線（図示せず）によって画定される。パック１０が初めて開かれると、紙巻たばこの束の上端にある内側ライナー２０の取り外し可能部分２２の拘束されていない上端部２４が掴まれて引かれるため、内側ライナーの残りの部分から分離されてパックから取り外される。
【００４０】
図１ｂは、パック１０が開き、内側ライナーの取り外し可能部分２２が取り外された状態を示す。取り外しの前には見えなかった取り外し可能部分２２の部分には、しるし２６（この実施形態では絵）が記載されているが、しるしは、パックが初めて開かれた時に見える内側ラッパー２０の部分に記載される任意のしるしとは視覚的に異なる、商標素材、絵またはその他の任意の視覚的なしるしなど、任意の種類のしるしであってもよい。
【００４１】
図１ｂで分かる通り、この実施形態では、内側ライナー２０の取り外し可能部分２２の約５０パーセントが、内側フレーム１６およびパック１０の前部壁２８の下にある。これにより、内側ライナー２０の取り外し可能部分２２が、従来的な容器の場合よりも多くの情報またはその他のしるしを記載できるようになる。図１ｂでもわかる通り、取り外し可能部分（すなわち、拘束されていない上端部２４の下方に延びる部分）の前方パネルの高さは、パックの高さの約５０パーセントに相当する。
【図１ａ】
2017529288.tif 000003
【図１ｂ】
2017529288.tif 000004
【国際調査報告】
2017529288.tif 000005
2017529288.tif 000006